(57)【要約】【課題】壁面と床面の取り合い部が鋭い内隅部となることで、汚れが付着し易いと共に付着した汚れを除去し難くなってしまうのを防止することができる浴室の防汚装置を提供する。【解決手段】浴室１の壁面２と床面３の取り合い部の内隅部４に、上端縁で壁面２に連続し且つ下端縁で床面３に連続すると共に、上端縁から下端縁にかけて浴室１内方に凹となる湾曲面を備えたコーナー部材５を取り付けた。【選択図】図１
2009172313.tif 000002
【特許請求の範囲】
【請求項１】
浴室の壁面と床面の取り合い部の内隅部に、上端縁で壁面に連続し且つ下端縁で床面に連続すると共に、上端縁から下端縁にかけて浴室内方に凹となる湾曲面を備えたコーナー部材を取り付けて成ることを特徴とする浴室の防汚装置。
【請求項２】
コーナー部材を、浴室の壁面と床面の取り合い部に接着剤により接着して成ることを特徴とする請求項１記載の浴室の防汚装置。
【請求項３】
コーナー部材の浴室内方に凹となる湾曲面が滑水性を具備して成ることを特徴とする請求項１又は請求項２記載の浴室の防汚装置。
【請求項４】
コーナー部材の浴室内方に凹となる湾曲面が抗菌性又は抗黴性を具備して成ることを特徴とする請求項１乃至請求項３のいずれか一項に記載の浴室の防汚装置。
【発明の詳細な説明】
【技術分野】
【０００１】
本発明は、浴室の壁面と床面の取り合い部の防汚装置に関するものである。
【背景技術】
【０００２】
従来より、浴室の壁面と床面の取り合い部（例えば特許文献１参照）には汚れが付着し易いと共に、付着した汚れを除去し難いものであった。壁面と床面の取り合い部は、通常、壁面と床面とが略９０°をなす鋭い内隅部となっており、この部分に汚れが溜まってこびり付き易く、また細い隙間であるため、拭き掃除等の清掃を行う際も汚れを拭き取り難く、汚れの除去が困難なものであった。
【特許文献１】特開２００１−１７３２４７号公報
【発明の開示】
【発明が解決しようとする課題】
【０００３】
本発明は上記従来の問題点に鑑みて発明したものであって、その目的とするところは、壁面と床面の取り合い部が鋭い内隅部となることで、汚れが付着し易いと共に付着した汚れを除去し難くなってしまうのを防止することができる浴室の防汚装置を提供することを課題とするものである。
【課題を解決するための手段】
【０００４】
上記課題を解決するために請求項１に係る発明にあっては、浴室１の壁面２と床面３の取り合い部の内隅部４に、上端縁で壁面２に連続し且つ下端縁で床面３に連続すると共に、上端縁から下端縁にかけて浴室１内方に凹となる湾曲面を備えたコーナー部材５を取り付けて成ることを特徴とするものである。
【０００５】
このような構成とすることで、内隅部４に汚れが入り込んで付着するのを防止すると共に、浴室内方に凹となる湾曲面（防汚面５０）に付着した汚れを清掃し易くなって汚れの除去が容易となる。
【０００６】
また、請求項２に係る発明にあっては、請求項１に係る発明において、コーナー部材５を、浴室１の壁面２と床面３の取り合い部に接着剤６により接着して成ることを特徴とするものである。
【０００７】
このような構成とすることで、容易にコーナー部材５を取り付けることができる。
【０００８】
また、請求項３に係る発明にあっては、請求項１又は２に係る発明において、コーナー部材５の浴室内方に凹となる湾曲面（防汚面５０）が滑水性を具備して成ることを特徴とするものである。
【０００９】
このような構成とすることで、滑水性を備えるため水が浴室内方に凹となる湾曲面に残水し難くなり、従って水中の汚れが浴室内方に凹となる湾曲面に付着し難くなる。
【００１０】
また、請求項４に係る発明にあっては、請求項１乃至３のいずれか一項に係る発明において、コーナー部材５の浴室内方に凹となる湾曲面（防汚面５０）が抗菌性又は抗黴性を具備して成ることを特徴とするものである。
【００１１】
このような構成とすることで、浴室内方に凹となる湾曲面での菌の繁殖や黴の発生を抑えて、浴室内方に凹となる湾曲面を清潔に保つことができる。
【発明の効果】
【００１２】
本発明にあっては、内隅部に汚れが入り込んで溜まってしまい、汚れが付着し易くなるのを防止すると共に、防汚面に汚れが付着した場合でも、内隅部に雑巾やスポンジ等を挿入することなく、拭き掃除がし易いため、汚れの除去が容易となる。
【発明を実施するための最良の形態】
【００１３】
以下、本発明の一実施形態について図１乃至図３に基づいて説明する。
【００１４】
本発明は、浴室１の壁面２と床面３の取り合い部における防汚装置であって、浴室１としては、床面３と壁面２があれば特に限定されないものであり、建物躯体のコンクリートスラブや表面に貼り付けたタイルによって浴室１の床面３や壁面２を形成したり、図２（ａ）に示すように建物の浴室スペースに床パン３０を設置すると共に床パン３０の周囲に壁パネル２０を立設して浴室１を形成してもよい。
【００１５】
通常の浴室１は、床面３を水平に形成すると共に壁面２を垂直に形成してある。従って、浴室１の壁面２と床面３の取り合い部は、両面が略９０°をなす内隅部４となっている。本実施形態では、浴室１スペースにＦＲＰ（Fiber Reinforced Plastics）からなる床パン３０を設置すると共に、床パン３０の周囲にＰＥＴ（PolyEthylene Terephthalate）鋼板からなる壁パネル２０を立設して浴室１を形成してある。床パン３０の周囲の端部には、壁パネル２０の厚みと同程度か若干長い幅の壁パネル載置部３１が設けてあり、壁パネル載置部３１の外端縁から上方に向けて立ち上がり片３２が突出している。そして、壁パネル載置部３１に壁パネル２０の下端部を載置して固定するものである。
【００１６】
本発明では、浴室１の壁面２と床面３の取り合い部にコーナー部材５を取り付けることで、防汚装置を構成するものである。本実施形態では、図２（ｂ）に示すように、浴室１の洗い場側の床パン３０の壁面２の取り合い部の三辺と、浴槽７の取り合い部の一辺の、計四辺全周に設けてある。
【００１７】
コーナー部材５は、図１に示すように、浴室１内方を向く湾曲面からなる防汚面５０と、浴室１の壁面２に取り付けられる側縦面５１と、浴室１の床面３に取り付けられる下横面５２とで囲まれる断面がおおよそ三角形状をした長尺のものである。防汚面５０は、上端縁で壁面２に滑らかに連続すると共に下端縁で滑らかに床面３に連続し、且つ、上端縁から下端縁にかけて浴室１内方に凹となる滑らかな湾曲面（尖った部分がない曲面）からなるもので、本実施形態では防汚面５０の断面形状が半径１〜５ｃｍ程度の略円弧面となっているが、特に限定されない。また防汚面５０を、複数の平面を境界で鈍角となるように連結したり、複数の平面や曲面を境界で鈍角となるように連結して組み合わせて、全体として浴室１内方に凹となるように形成してもよいものである。また更に、簡易な防汚面５０として、浴室１内方の斜め上方を向く傾斜平面としてもよい。
【００１８】
このコーナー部材５は、耐熱性、耐水性を備え、浴室１に設けるのに適した材質で形成する必要があり、また、接着剤６で取り付けることを考え、耐薬品性を備えることが好ましい。本実施形態では、ＦＲＰ、ＡＢＳ（Acrylonitrile Butadiene Styrene）、ＡＳＡ（Acrylate Styrene Acrylonitrile）といった合成樹脂で形成しており、前記耐熱性、耐水性、耐薬品性を備えている。
【００１９】
コーナー部材５を取り合い部に取り付けるには、図３に示すようにコーナー部材５の側縦面５１と下横面５２とに接着剤６を塗布して壁面２及び床面３に接着したり、ビスや釘等の固着具により固定したり、嵌め込みや係合によるもの等、特に限定されないが、本実施形態では接着剤６を用いた水密性のよい方法を採用している。
【００２０】
接着剤６としては、前記耐熱性、耐水性、耐薬品性をはじめ、速乾性が望まれるもので、本実施形態ではこれらを満たすものとして、ホットメルトか、あるいはエポキシ樹脂の接着剤６を用いている。ホットメルトを用いる場合には、専用のガンよりホットメルトを吐出して所望の部位に塗布してＡＳＡ製のコーナー部材５を固定し、エポキシ樹脂を用いる場合には、ここでは２液混合型のエポキシ樹脂によりＡＢＳ製のコーナー部材５を固定している。
【００２１】
上記のコーナー部材５を壁面２と床面３の取り合い部に設けることで、取り合い部の鋭い内隅部４をなくして浴室１内方に凹となる滑らかな湾曲面からなる防汚面５０とすることができる。これにより、内隅部４の細い隙間に汚れが入り込んで溜まってこびり付いてしまうのを防止すると共に、防汚面５０に汚れが付着した場合でも、内隅部４の細い隙間に雑巾やスポンジや指等を挿入する必要がなく、拭き掃除がし易くなって汚れの除去が容易となる。
【００２２】
また、コーナー部材５を壁面２と床面３の取り合い部に取り付けて防汚面５０を形成するため、既存の壁面２と床面３の取り合い部に後付けで防汚面５０を形成することができて、様々な形状の浴室１に合わせて（すなわち長手方向を所望の長さに切断したりして）、後から防汚面５０を形成することが可能となる。この時、接着剤６を用いることで、容易にコーナー部材５を取り付けることができ、特に、接着剤６としてホットメルトを用いることで、耐熱性、耐水性、耐薬品性、速乾性を備えることができる。また、コーナー部材５の側縦面５１又は／及び下横面５２を、取り付けられる壁面２又は／及び床面３に合わせて加工してもよい。
【００２３】
また、コーナー部材５の防汚面５０が滑水性を具備することが好ましいものである。滑水性を付与するには、防汚面５０に、フッ素系、シリコン系、ウレタン系の部材を接着や溶着等によりコーナー部材５に密着させればよく、材質は前記に限定されない。滑水性は、水滴重量０．０３ｇの滑落角が２０°以下となるのが好ましく、本実施形態では、ＡＳＡ製のコーナー部材５の防汚面５０に、滑水性の材料で、撥水角１０５°、滑水角１８°（水滴重量０．０３ｇ）のフッ素シリコン系材料をスプレーで塗布して形成してある。滑水性を備えることで、水が防汚面５０に残水し難くなり、水中の汚れが防汚面５０に付着し難くなるものである。
【００２４】
また、コーナー部材５の防汚面５０が抗菌性又は抗黴性を具備することが好ましいものである。抗菌性又は抗黴性を付与するには、コーナー部材５の基材に抗菌性又は抗黴性を発揮する物質を練り込むか、あるいは、防汚面５０に抗菌性又は抗黴性を発揮する物質を塗布する。抗菌性又は抗黴性を発揮する物質としては、無機系としては、銀や銅や亜鉛を、燐酸やゼオライトやシリカゲルや粘度鉱物等の各種担体に担持させたり、あるいは有機系としては、イミダゾールやピリジン系の物質を用いることが挙げられるが、これらに限定されない。本実施形態では、ＡＳＡ製のコーナー部材５の防汚面５０に、Ａｇ系抗菌剤を固形分で５％添加・分散し、スプレーで塗布した後に乾燥させている。抗菌性又は抗黴性を備えることで、防汚面５０での菌の繁殖や黴の発生を抑えて、本来汚れの付着し易い取り合い部を清潔に保つことができる。
【図面の簡単な説明】
【００２５】
【図１】本発明の一実施形態の要部断面図である。
【図２】（ａ）は浴室の全体斜視図であり、（ｂ）は床パン（洗い場）の平面図である。
【図３】接着剤でコーナー部材を取り付ける場合の要部分解断面図である。
【符号の説明】
【００２６】
１    浴室
２    壁面
２０  壁パネル
３    床面
３０  床パン
３１  壁パネル載置部
３２  立ち上がり片
４    内隅部
５    コーナー部材
５０  防汚面
５１  側縦面
５２  下横面
６    接着剤
【図１】
2009172313.tif 000003
【図２】
2009172313.tif 000004
【図３】
2009172313.tif 000005